(57)【要約】 【課題】  低コスト化及び小型化と共に、駆動回路の設計自由度を向上できる磁気記録／再生装置のデッキを提供する。【解決手段】  本発明によるデッキは、テープローディング及び情報の記録／再生のための機構的なメカニズムを構成する複数の構造物が配置された一つのシャシと；デッキの動作及び前記構造物の状態感知に必要な電子的なメカニズムを構成する複数のスイッチ及びセンサー類が配置される一つのスイッチ／センサー回路基板とを含む。スイッチ／センサー回路基板は、安価な一般のプリント回路基板で構成され、シャシの下面に組立てられる。【選択図】      図２ 
2006004597.tif 000002
【特許請求の範囲】
【請求項１】
テープローディング及び情報の記録／再生のための機構的なメカニズムを構成する複数の構造物が配置されたシャシと；
デッキの動作及び前記構造物の状態感知に必要な電子的なメカニズムを構成する複数のスイッチ及びセンサー類が配置されたスイッチ／センサー回路基板とを含むことを特徴とする磁気記録／再生装置のデッキ。
【請求項２】
前記スイッチ／センサー回路基板は、シャシの下面に組立てられることを特徴とする、請求項１に記載の磁気記録／再生装置のデッキ。
【請求項３】
前記機構的なメカニズムを構成する複数の構造物は、
カセットテープのリールを回転駆動させるリールテーブルを含むリール組立体と；
カセットテープのテープを引出して所定の経路を走行するようガイドするローディングモーターと、複数のガイド部材を有するテープ走行ガイド組立体と；
所定の経路に沿って走行するテープに情報を記録し、記録された情報を再生する磁気ヘッドを有するヘッドドラム組立体とを含むことを特徴とする請求項１に記載の磁気記録／再生装置のデッキ。
【請求項４】
前記電子的なメカニズムを構成する複数のスイッチ及びセンサー類は、モード制御のためのモードスイッチ、湿気感知センサー、カセットテープの着脱を感知するカセットスイッチ、カセットテープの種類などを認識するＭＩＣスイッチ、リールテーブルの回転数及び動作状態をチェックするリールセンサー、テープのスタート点及びエンド点を認識するスタート／エンドセンサー、並びに前記スタート／エンドセンサーに光を照射する発光素子を含むことを特徴とする、請求項３に記載の磁気記録／再生装置のデッキ。
【請求項５】
前記スイッチ／センサー回路基板は、前記発光素子を支持するためのホルダを備え、前記ホルダ及び前記ＭＩＣスイッチにそれぞれ設けられたフックを利用してシャシに固定されることを特徴とする請求項４に記載の磁気記録／再生装置のデッキ。
【請求項６】
前記スイッチ／センサー回路基板は、前記発光素子を支持するためのホルダを備え、前記ホルダ及び前記ＭＩＣスイッチにそれぞれ設けられたフックを利用してシャシに仮組立した状態で複数のスクリューによって固定されることを特徴とする請求項４に記載の磁気記録／再生装置のデッキ。
【請求項７】
前記スイッチ／センサー回路基板は、これに実装されたスイッチ及びセンサー類の信号出力のためのコネクターを具備することを特徴とする請求項４に記載の磁気記録／再生装置のデッキ。
【請求項８】
一つの前記シャシと；
一つの前記スイッチ／センサー回路基板とを含むことを特徴とする請求項１乃至請求項７のいずれか一項に記載の磁気記録／再生装置のデッキ。
【請求項９】
カセットテープのリールを回転駆動するリールテーブルを有するリール組立体と；
カセットテープのテープを引出して所定の経路を走行するようガイドするローディングモーターと、複数のガイド部材を有するテープ走行ガイド組立体と；
所定の経路に沿って走行するテープに情報を記録し、記録された情報を再生する磁気ヘッドを有するヘッドドラム組立体と；
前記リール組立体、テープ走行ガイド組立体及びヘッドドラム組立体を構成する複数の部品が適所に配置されるシャシと；
前記シャシ下面に組立てられ、モード制御のためのモードスイッチ、湿気感知センサー、カセットテープの着脱を感知するカセットスイッチ、カセットテープの種類などを認識するＭＩＣスイッチ、リールテーブルの回転数及び動作状態をチェックするリールセンサー、テープのスタート点及びエンド点を認識するスタート／エンドセンサー、前記スタート／エンドセンサーに光を照射する発光素子と、これらの信号出力のためのコネクターが適所に配置されたスイッチ／センサー回路基板とを含むことを特徴とする磁気記録／再生装置のデッキ。
【請求項１０】
前記スイッチ／センサー回路基板は、前記発光素子を支持するためのホルダを備え、前記ホルダ及び前記ＭＩＣスイッチにそれぞれ設けられたフックを利用してシャシに仮組立した状態で複数のスクリューによって締着されることを特徴とする請求項９に記載の磁気記録／再生装置のデッキ。
【発明の詳細な説明】
【技術分野】
【０００１】
本発明は、磁気記録／再生装置のデッキに関する。
【背景技術】
【０００２】
磁気テープを記録媒体として用いる、例えばＶＣＲ（ビデオカセットテープレコーダ）、ＤＶＣ（デジタルバーサタイルカムコーダ）等のような磁気記録再生装置は、カセットテープからテープを引出して走行させながら、所定の情報を記録及び／又は再生するデッキ、撮影ユニット及び信号処理ユニット等を備える。
【０００３】
一般の磁気記録／再生装置のデッキが図１に概略的に示されている。
【０００４】
同図に示すように、一般に磁気記録／再生装置のデッキは、メインシャシ１０及び前記メインシャシ１０に対してスライド移動可能に設けられたサブシャシ２０を有する。一方、図示しないが、サブシャシ２０には、カセットテープが配設されるカセットハウジングがサブシャシ２０に対しアップ／ダウン可能に設けられている。
【０００５】
メインシャシ１０には、ヘッドドラム１１、ローディングモーター１２、キャプスタンモーター１３、及びテープ走行計を構成する複数のガイドローラ１４及びガイドポール１５等が適所に配置されている。
【０００６】
また、サブシャシ２０には、カセットテープのリールを駆動するための一対のリールテーブル２１、２２、リールテーブル２１、２２への選択的な動力伝達のためのアイドルギア組立体２３と、アイドルギア組立体２を支持するリールカバー２４等が適所に配置されている。
【０００７】
また、メインシャシ１０には、モード制御のためのモードスイッチ１６及び湿気感知センサー（図示せず）が設けられ、サブシャシ２０には、カセットテープの着脱を感知するカセットスイッチ２５、カセットテープの種類などを認識するＭＩＣスイッチ２６、リールテーブル２１、２２の回転数及び動作状態をチェックするリールセンサー（図示せず）、テープのスタート点及びエンド点を認識するスタート／エンドセンサー２７等が設けられる。なお、スタート／エンドセンサー２７に光を照射する発光素子２８は、リールカバー２４に設けられたホルダ２４ａに設置される。
【０００８】
一方、一般の磁気記録／再生装置のデッキは、前記の各構成部品の動作制御のために、各構成部品とメイン回路基板（図示せず）を連結する複数の可撓性プリント回路基板（以下、ＦＰＣＢと称する。）を具備する。前記ＦＰＣＢは、柔軟なプラスチック材質の薄板に微細回路が印刷されたもので、一般のプリント回路基板（ＰＣＢ）に比べて高価である。
【０００９】
前記複数のＦＰＣＢのうちトランスＦＰＣＢ３１は、ヘッドドラム１１とメイン回路基板を、ローディングＦＰＣＢ３２は、ローディングモーター１２とメイン回路基板を、また、キャプスタンＦＰＣＢ３３は、キャプスタンモーター１３とメイン回路基板をそれぞれ連結するものである。なお、モードＦＰＣＢ３４は、メインシャシ１０に設置されたモードスイッチ１６及び湿気感知センサーとメイン回路基板を連結するものであり、サブＦＰＣＢ３５は、サブシャシ２０に設置されたカセットスイッチ２５、ＭＩＣスイッチ２６、リールセンサー、スタート／エンドセンサー２７及び発光素子２８とメイン回路基板を連結するものである。
【００１０】
モードＦＰＣＢ３４及びサブＦＰＣＢ３５は、多くの部品を経由するため該当するシャシ１０、２０に広く配置されており、一般の磁気記録／再生装置のデッキで高価のＦＰＣＢが多く使われることによるコスト上昇の問題が提起されている。
【００１１】
また、一般の磁気記録／再生装置のデッキにおいて、メインシャシ１０とサブシャシ２０が分離されており小型化に限界があり、かかるサイズの問題のため一般のプリント回路基板を使用できず高価のＦＰＣＢを使用することによって、コスト上昇の要因となっている。
【００１２】
また、一般の磁気記録／再生装置のデッキにおいて、メインシャシ１０にモードスイッチ及び湿気感知センサーが配置され、サブシャシ２０には、カセットスイッチ、ＭＩＣスイッチ、リールセンサー、スタート／エンドセンサー、及び発光素子などが分離配置されており、モードＦＰＣＢ３４及びサブＦＰＣＢ３５が必要とされる等、メイン回路基板との連結部が多くなるといった問題点がある。このように、連結部が多くなる場合、組立て工数が増加し、メイン回路の設計自由度を制約する要因となり、好ましくない。
【特許文献１】日本公開特許２００１−１３５００１
【特許文献２】韓国登録実用３１９０２６
【発明の開示】
【発明が解決しようとする課題】
【００１３】
本発明は、前記のような問題点を鑑みてなされたもので、その目的は、一つのシャシ構造を採用して小型化を図り、デッキ動作に必要な全てのスイッチ及びセンサー類を一つの回路基板に集めて収容することによって、メイン回路基板との連結部が減少した磁気記録／再生装置のデッキを提供することにある。
【００１４】
本発明の他の目的は、安価な一般のＰＣＢを使用することによって、製作コストを大きく節減できる磁気記録／再生装置のデッキを提供することにある。
【課題を解決するための手段】
【００１５】
前述した目的を達成するための本発明に係る磁気記録／再生装置のデッキは、テープローディング及び情報の記録／再生のための機構的なメカニズムを構成する複数の構造物が配置されたシャシと、デッキの動作及び前記構造物の状態感知に必要な電子的なメカニズムを構成する複数のスイッチ及びセンサー類が配置されたスイッチ／センサー回路基板を含む。
【００１６】
本発明の好適な実施例によれば、スイッチ／センサー回路基板はシャシの下面に組立てられる。また、スイッチ／センサー回路基板は、安価な一般のプリント回路基板で構成したり、或いは高価なＦＰＣＢで構成することができるが、一般のプリント回路基板を使用することがコスト的に有利である。
【００１７】
デッキの機構的なメカニズムを構成する複数の構造物は、カセットテープのリールを回転駆動するリールテーブルを有するリール組立体と、カセットテープのテープを引出して所定の経路を走行するようガイドするローディングモーター、及び複数のガイド部材を有するテープ走行ガイド組立体と、所定の経路に沿って走行するテープに情報を記録し、記録された情報を再生する磁気ヘッドを有するヘッドドラム組立体とを含む。
【００１８】
また、デッキの電子的なメカニズムを構成する複数のスイッチ及びセンサー類は、モード制御のためのモードスイッチ、湿気感知センサー、カセットテープの着脱を感知するカセットスイッチ、カセットテープの種類などを認識するＭＩＣスイッチ、リールテーブルの回転数及び動作状態をチェックするリールセンサー、テープのスタート点及びエンド点を認識するスタート／エンドセンサー、並びに前記スタート／エンドセンサーに光を照射する発光素子を含む。
【００１９】
また、前記スイッチ／センサー回路基板は、前記発光素子を支持するためのホルダを備え、スイッチ／センサー回路基板は、前記ホルダ及び前記ＭＩＣスイッチにそれぞれ設けられたフックを利用してシャシに固定される。
【００２０】
また、前記スイッチ／センサー回路基板は、前記ホルダ及び前記ＭＩＣスイッチにそれぞれ形成されたフックを利用してシャシに仮組立した状態で、複数のスクリューによって締着することもできる。
【００２１】
また、スイッチ／センサー回路基板は、これに実装されたスイッチ及びセンサー類の信号出力のためのコネクターを具備し、該コネクターとメイン回路基板がＦＰＣＢによって連結される。
【００２２】
本発明の好適な実施例によれば、磁気記録／再生装置のデッキは、前記のような一つのシャシ及び一つのスイッチ／センサー回路基板を含む。
【発明の効果】
【００２３】
前記のように、本発明は、一つのシャシ及び一つのスイッチ／センサー回路基板を具備しており、デッキの高さを低くする等デッキの小型化が可能である。これにより、磁気記録再生装置の小型化を実現することができる。
【００２４】
また、安価な一般のプリント回路基板を使用し、メイン回路基板との連結部が５個から４個に減少する等、デッキの製作コストを大幅に削減することができる。
【００２５】
また、メイン回路基板との連結部が減少してメイン回路基板に対する設計自由度が向上する効果もある。
【発明を実施するための最良の形態】
【００２６】
以下、図面を参照して、本発明の好適な実施例について説明する。
【００２７】
図２乃至図４で、本発明の一実施例に係る磁気記録／再生装置のデッキを概略的に示している。同図において、符号１００はシャシを指し、符号２００はスイッチ／センサー回路基板を指す。
【００２８】
シャシ１００には、テープローディング及び情報の記録／再生のための機構的なメカニズムを構成する複数の構造物が適所に配置され、前記スイッチ／センサー回路基板２００には、デッキの動作及び前記構造物の状態感知に必要な電子的なメカニズムを構成する複数のスイッチ及びセンサー類が適所に配置されている。また、図示しないが、本発明による磁気記録／再生装置のデッキは、カセットテープが配設されるカセットハウジングを具備する。
【００２９】
前記機構的なメカニズムを構成する複数の構造物は、カセットテープのリールを回転駆動するリールテーブル１１０、１１１を有するリール組立体、カセットテープのテープを引出して所定の経路を走行するようガイドするローディングモーター１２０、及び複数のガイド部材１２１、１２２を有するテープ走行ガイド組立体、所定の経路に沿って走行するテープに情報を記録し、記録した情報を再生する磁気ヘッドを備えるヘッドドラム組立体１３０を含む。
【００３０】
前記リール組立体は、駆動源であるキャプスタンモーター１１２、キャプスタンモーター１１２の動力をリールテーブル１１０、１１１に選択的に伝達するアイドルギア（図示せず）と、該アイドルギアを支持するリールカバー１１３等を具備する。
【００３１】
また、ガイド部材１２１、１２２は、ポールベース組立体及びピンチアーム組立体等を含む。
【００３２】
一方、前記電子的なメカニズムを構成する複数のスイッチ及びセンサー類は、モード制御のためのモードスイッチ２１０、湿気感知センサー２２０、カセットテープ着脱を感知するカセットスイッチ２３０、カセットテープの種類などを認識するＭＩＣスイッチ２４０、リールテーブル１１０、１１１の回転数及び状態をチェックするリールセンサー２５０、２５０’、テープのスタート点及びエンド点を認識するスタート／エンドセンサー２６０、２６０’並びに、スタート／エンドセンサー２６０、２６０’に光を照射する発光素子２７０等を含む。
【００３３】
発光素子２７０は、スイッチ／センサー回路基板２００に堅く固定されるホルダ２８０に支持され、ＭＩＣスイッチ２４０もスイッチ／センサー回路基板２００の該当する位置に堅く固定される。
【００３４】
ホルダ２８０及びＭＩＣスイッチ２４０には、それぞれフック２８１、２４１が具備される。フック２８１、２４１は、図５Ａ、図５Ｂに示すように、スイッチ／センサー回路基板２００がシャシ１００の下部でシャシ１００に組み立てられる際、シャシ１００にそれぞれフッキングされることで、シャシ１００に対するスイッチ／センサー回路基板２００の組み立て状態を維持する。その後、スイッチ／センサー回路基板２００は、複数のスクリュー３００によってシャシ１００に固定される。
【００３５】
また、スイッチ／センサー回路基板２００は、基板に実装された前記スイッチ及びセンサーなどの信号を外部に出力するためのコネクター２９０を具備する。
【００３６】
前記のような本発明によるデッキのスイッチ／センサー回路基板２００は、一般のプリント回路基板（ＰＣＢ）及びＦＰＣＢのいずれを採用しても良いが、コスト的に安価な一般のプリント回路基板を使用することが有利である。
【００３７】
一方、同図において、符号３１０乃至３４０は、メイン回路基板（図示せず）との連結のためのＦＰＣＢを指す。前記複数のＦＰＣＢのうちトランスＦＰＣＢ３１０は、ヘッドドラム組立体１３０とメイン回路基板を連結し、モーターＦＰＣＢ３２０は、ローディングモーター１２０とメイン回路基板を連結する。また、キャプスタンＦＰＣＢ３３０は、キャプスタンモーター１１２とメイン回路基板を連結する。更に、スイッチ／センサーＦＰＣＢ３４０は、スイッチ／センサー回路基板２００に具備されたコネクター２９０に一端が連結され、他端はメイン回路基板に連結されて、スイッチ／センサー回路基板２００に実装された種々のスイッチ及びセンサーの信号出力構造を構成する。
【００３８】
前記のように、本発明による磁気記録／再生装置のデッキは、一つのシャシに機構的なメカニズムを構成する複数の構造物が適所に配置され、また、デッキの動作及び状態の感知に必要な複数のスイッチ及びセンサー類が一つの一般のプリント回路基板に配置された状態で、前記シャシの下面に組立てられる構成である。
【００３９】
以上では、本発明の原理を例示するために本発明の好適な実施例について図示し説明したが、本発明は上述した特定の実施形態に限定されるものではなく、特許請求の範囲で請求している本発明の要旨を逸脱することなく本発明に対する種々の変形及び修正が可能であることは当業者であれば理解できることであろう。よって、そのような変更及び修正は本発明の特許請求の範囲に含まれるものと見なすべきである。
【産業上の利用可能性】
【００４０】
本発明は、小型で、かつ軽量の磁気記録再生装置、例えばＶＣＲやＤＶＣ用のデッキで有利に利用することができる。
【図面の簡単な説明】
【００４１】
【図１】一般の磁気記録／再生装置のデッキを概略的に示す斜視図である。
【図２】本発明の一実施例に係る磁気記録／再生装置のデッキを示す分解斜視図である。
【図３】図２の組立状態を示す平面図である。
【図４】図２の底面図である。
【図５Ａ】本発明に係るデッキのシャシに対するスイッチ／センサー回路基板の組立構造を示す要部断面図である。
【図５Ｂ】本発明に係るデッキのシャシに対するスイッチ／センサー回路基板の組立構造を示す要部断面図である。
【符号の説明】
【００４２】
１００  シャシ
１１０、１１１  リールテーブル
１１２  キャプスタンモーター
１２０  ローディングモーター
１２１、１２２  ガイド部材
１３０  ヘッドドラム組立体
２００  スイッチ／センサー回路基板
２１０  モードスイッチ
２２０  湿気感知センサー
２３０  カセットスイッチ
２４０  ＭＩＣスイッチ
２５０、２５０’  リールセンサー
２６０、２６０’  スタート／エンドセンサー
２７０  発光素子
２８０  発光素子ホルダ
２４１、２８１  フック
２９０  コネクター
３００  スクリュー
３１０〜３４０  ＦＰＣＢ
【図１】
2006004597.tif 000003
【図２】
2006004597.tif 000004
【図３】
2006004597.tif 000005
【図４】
2006004597.tif 000006
【図５Ａ】
2006004597.tif 000007
【図５Ｂ】
2006004597.tif 000008